(57)【要約】      （修正有）【課題】工具を用いることなく素手で容易に扇状板一枚ずつに分離し、かつ、分離した扇状板を工具を用いることなく素手で容易に連結することができるようにした料理用落し蓋を提供する。【解決手段】複数枚の扇状板にはそれぞれ中心側端近傍から周縁５に向かう半径方向に長孔７を穿設し、当該複数枚の扇状板の長孔にピン部材９を取り外し可能に摺嵌し、各扇状板の周方向の角部１１と該扇状板に隣接する他の扇状板の対応角部１３とを連結手段１５により該扇状板が該連結手段を回動中心として相互に回動自在になるように連結してなる料理用落し蓋において、前記連結手段は、各扇状板における周方向の一方の角部には突起を形成し、他方の角部には透孔を形成し、各扇状板における周方向の一方の角部に形成された突起が該扇状板に隣接する他の扇状板の対応角部に形成された透孔に対し係脱自在である。【選択図】図１
2016055108.tif 000002
【特許請求の範囲】
【請求項１】
複数枚の扇状板にはそれぞれ中心側端近傍から周縁に向かう半径方向に長孔を穿設し、当該複数枚の扇状板の長孔にピン部材を取り外し可能に摺嵌し、各扇状板の周方向の角部と該扇状板に隣接する他の扇状板の対応角部とを連結手段により該扇状板が該連結手段を回動中心として相互に回動自在になるように連結してなる料理用落し蓋において、
前記連結手段は、各扇状板における周方向の一方の角部には突起を形成し、他方の角部には透孔を形成し、各扇状板における周方向の一方の角部に形成された突起が該扇状板に隣接する他の扇状板の対応角部に形成された透孔に対し係脱自在であることを特徴とする料理用落し蓋。
【請求項２】
前記一方の角部における扇状板の周縁近傍に第一切欠部を該周縁と略平行に形成することにより該角部に第一舌片を突設し、該第一舌片に前記突起を形成し、前記他方の角部における扇状板の周縁近傍に第二切欠部を該周縁と略平行に形成することにより該角部に第二舌片を突設し、該第二舌片に前記透孔を形成し、該第二舌片は該扇状板に隣接する他の扇状板の第一舌片上に乗り上げるように段差状に立ち上げたことを特徴とする請求項１に記載の料理用落し蓋。
【請求項３】
前記第二舌片の先端は、前記第一舌片が該第二舌片の下側に位置したときに該第一舌片の表面から上方に離れる方向に、折曲させたことを特徴とする請求項２に記載の料理用落し蓋。
【請求項４】
各扇状板に穿設した前記長孔は、扇状板の周縁側端に大径部を備え、前記ピン部材は、該長孔における該大径部に対しては挿脱自在であり、該長孔における該大径部以外の部分に対しては挿脱不能かつ該長孔の長さ方向に摺動自在であることを特徴とする請求項１〜３のいずれかに記載の料理用落し蓋。
【請求項５】
前記ピン部材は、主胴部と下端部との間にくびれ部を備えてなり、該主胴部と該下端部とは前記長孔における大径部に対して挿通自在、かつ、該長孔における該大径部以外の部分に対しては挿通不能であり、該くびれ部は該長孔における該大径部以外の部分に対しては該長孔の長さ方向に摺動自在であることを特徴とする請求項４に記載の料理用落し蓋。
【請求項６】
各扇状板の表面に凸部を形成したことを特徴とする請求項１〜５のいずれかに記載の料理用落し蓋。
【請求項７】
前記ピン部材の上端に料理用落し蓋を持ち上げるための係止手段を備えさせたことを特徴とする請求項１〜６のいずれかに記載の料理用落し蓋。
【発明の詳細な説明】
【技術分野】
【０００１】
本発明は、料理用落し蓋に関するものであり、更に詳しくは、複数枚の扇状板を平面視略円形状に組み立ててなる料理用落し蓋に係るものである。
【背景技術】
【０００２】
料理用落し蓋としては、例えば実公平５−２５５４７号公報に示すように、複数枚の扇状板にはそれぞれ中心側端近傍から周縁に向かう半径方向に長孔を穿設し、当該複数枚の扇状板の長孔にピン部材を取り外し可能に摺嵌し、各扇状板の周方向の角部と該扇状板に隣接する他の扇状板の対応角部とを連結手段により該扇状板が該連結手段を回動中心として相互に回動自在になるように連結してなるもの（以下「従来の料理用落し蓋」という。）が知られている。
【０００３】
従来の料理用落し蓋においては、ピン部材が各扇状板における長孔の内側端にあるときに、該料理用落し蓋全体が平面視略円形状になり、表面積が最大となる。一方、各扇状板を各連結手段を回動中心として相互に重なるように回動させたときには、該ピン部材は各扇状板の長孔内を各扇状板における中心側端から離れる方向に摺動し、料理用落し蓋全体が変形し、表面積が最小となる。
【先行技術文献】
【特許文献】
【０００４】
【特許文献１】実公平５−２５５４７号公報
【発明の概要】
【発明が解決しようとする課題】
【０００５】
しかして、従来の料理用落し蓋においては、各扇状板の周方向の角部と該扇状板に隣接する他の扇状板の対応角部とを回動自在に連結する連結手段として、リベット、鳩目等が用いられているため、該連結手段による連結を解除するためには特殊な工具が必要であり、該連結手段による連結を素手で解除することはできない。したがって、このような特殊な工具を有しない料理用落し蓋の通常の使用者にとっては、該連結手段による連結を解除して料理用落し蓋を扇状板一枚ずつに分離し、扇状板を一枚ずつ洗うことができないという問題がある。
また、仮に工具を用いて料理用落し蓋を扇状板一枚ずつに分離することができた場合でも、扇状板を一枚ずつ洗った後、これらの扇状板をリベット、鳩目等の連結手段により再び連結することは極めて困難である。
更に、ピン部材を扇状板の長孔に挿脱する際には、該ピン部材の分解・組立を行わなければならないが、該ピン部材の分解作業・組立作業は面倒である。
【０００６】
従来の料理用落し蓋における上述の如き問題に鑑み、本発明は、工具を用いることなく素手で容易に扇状板一枚ずつに分離し、かつ、分離した扇状板を工具を用いることなく素手で容易に連結することができるようにした料理用落し蓋、すなわち、扇状板を一枚ずつに分離して洗った後、再使用することを可能ならしめるために素手で容易に分解・組立を行うことができる料理用落し蓋、を提供しようとしてなされたものである。
【課題を解決するための手段】
【０００７】
上記課題を解決するために、本発明は、下記の料理用落し蓋を提供するものである。
【０００８】
（１）複数枚の扇状板にはそれぞれ中心側端近傍から周縁に向かう半径方向に長孔を穿設し、当該複数枚の扇状板の長孔にピン部材を取り外し可能に摺嵌し、各扇状板の周方向の角部と該扇状板に隣接する他の扇状板の対応角部とを連結手段により該扇状板が該連結手段を回動中心として相互に回動自在になるように連結してなる料理用落し蓋において、
前記連結手段は、各扇状板における周方向の一方の角部には突起を形成し、他方の角部には透孔を形成し、各扇状板における周方向の一方の角部に形成された突起が該扇状板に隣接する他の扇状板の対応角部に形成された透孔に対し係脱自在であることを特徴とする料理用落し蓋（請求項１）。
【０００９】
（２）前記一方の角部における扇状板の周縁近傍に第一切欠部を該周縁と略平行に形成することにより該角部に第一舌片を突設し、該第一舌片に前記突起を形成し、前記他方の角部における扇状板の周縁近傍に第二切欠部を該周縁と略平行に形成することにより該角部に第二舌片を突設し、該第二舌片に前記透孔を形成し、該第二舌片は該扇状板に隣接する他の扇状板の第一舌片上に乗り上げるように段差状に立ち上げる（請求項２）。
【００１０】
（３）前記第二舌片の先端は、前記第一舌片が該第二舌片の下側に位置したときに該第一舌片の表面から上方に離れる方向に、折曲させる（請求項３）。
【００１１】
（４）各扇状板に穿設した前記長孔は、扇状板の周縁側端に大径部を備え、前記ピン部材は、該長孔における該大径部に対しては挿脱自在であり、該長孔における該大径部以外の部分に対しては挿脱不能かつ該長孔の長さ方向に摺動自在である（請求項４）。
【００１２】
（５）前記ピン部材は、主胴部と下端部との間にくびれ部を備えてなり、該主胴部と該下端部とは前記長孔における大径部に対して挿通自在、かつ、該長孔における該大径部以外の部分に対しては挿通不能であり、該くびれ部は該長孔における該大径部以外の部分に対しては該長孔の長さ方向に摺動自在である（請求項５）。
【００１３】
（６）各扇状板の表面に凸部を形成する（請求項６）。
【００１４】
（７）前記ピン部材の上端に料理用落し蓋を持ち上げるための係止手段を備えさせる（請求項７）。
【発明の効果】
【００１５】
[請求項１の発明]
扇状板の連結手段は、各扇状板における周方向の一方の角部には突起を形成し、他方の角部には透孔を形成し、各扇状板における周方向の一方の角部に形成された突起が該扇状板に隣接する他の扇状板の対応角部に形成された透孔に対し係脱自在であるため、料理用落し蓋の使用者は、何ら工具を用いることなく、素手で扇状板の連結を容易に解除することができる。また、ピン部材は扇状板の長孔に対し取り外し可能である。したがって、料理用落し蓋を扇状板一枚ずつに容易に分離することができる。この状態で、扇状板を一枚ずつきれいに洗うことができる。
【００１６】
各扇状板を洗い、乾燥させた後、各扇状板を連結手段が上下に揃った状態で上下方向に重ね合わせ、ピン部材を長孔に嵌めて該長孔の中心側端部４（長孔における扇状板の中心側の端部）に摺動させ、最上の扇状板を連結手段により次の扇状板に連結し、以後同様に全扇状板を連結させることにより、素手で料理用落し蓋を再び元の平面視略円形状に組み立てることができる。
【００１７】
[請求項２の発明]
図７、図８を参照して説明する。扇状板（１ｂ）の第二舌片（２７）は該扇状板（１ｂ）に隣接する他の扇状板（１ａ）の第一舌片（２３）上に乗り上げるように段差状に立ち上げたため、当該他の扇状板（１ａ）の第一舌片（２３）は扇状板（１ｂ）の第二舌片（２７）の下側に円滑に入り、該第一舌片（２３）の突起（１７）は該第二舌片（２７）の透孔（１９）に確実に係止する。この場合、当該他の扇状板（１ａ）における第一舌片（２３）を有する一側部（２ａ）は、扇状板（１ｂ）における第二舌片（２７）を有する対応側部（２ｂ）の上側に位置する。
【００１８】
[請求項３の発明]
前記第二舌片の先端は、前記第一舌片が該第二舌片の下側に位置したときに該第一舌片の表面から上方に離れる方向に、折曲させているため、扇状板（１ａ）の第一舌片（２３）は扇状板（１ａ）の第二舌片（２７）の下側に一層円滑に入る。図７、図８参照。
【００１９】
[請求項４の発明]
各扇状板に穿設した前記長孔は、扇状板の周縁側端に大径部を備え、前記ピン部材は、該長孔における該大径部に対しては挿脱自在であり、該長孔における該大径部以外の部分に対しては挿脱不能かつ該長孔の長さ方向に摺動自在であるため、該ピン部材を長孔に挿脱する際には、該ピン部材の分解・組立を行う必要がない。
【００２０】
[請求項５の発明]
前記ピン部材は、主胴部と下端部との間にくびれ部を備えてなり、該主胴部と該下端部とは前記長孔における大径部に対して挿通自在、かつ、該長孔における該大径部以外の部分に対しては挿通不能であり、該くびれ部は該長孔における該大径部以外の部分に対しては該長孔の長さ方向に摺動自在であるため、該ピン部材の構造は簡単であり、該ピン部材は安価に提供することができる。
【００２１】
[請求項６の発明]
各扇状板の表面に凸部を形成しているため、分離した扇状板を相互に重ね合わせたときでも、各扇状板が相互に離れやすくなる。また、分離した扇状板を平板上に載置して乾燥させる際に、該凸部を該平板の表面に当接させることにより、該扇状板が該平板に密着することを防止することができる。図６参照。
【００２２】
[請求項７の発明]
ピン部材の上端に料理用落し蓋を持ち上げるための係止手段を備えさせたため、料理中にお玉、箸等を該係止手段に係止させて料理用落し蓋を持ち上げることができる。  
【図面の簡単な説明】
【００２３】
【図１】図１は、本発明による料理用落し蓋の一例を示す平面図である。
【図２】図２は、扇状板の一例を示す平面図である。
【図３】図３は、図２のＩＩＩ−ＩＩＩ線における断面図である。
【図４】図４は、図２のＩＶ−ＩＶ線における断面図である。
【図５】図５は、図２のＶ−Ｖ線における断面図である。
【図６】図６は、図２のＶＩ−ＶＩ線における断面図である。
【図７】図７は、第一舌片と第二舌片との関係を示す断面図である。
【図８】図８は、連結手段により２枚の扇状板を連結させた状態を示す平面図である。
【図９】図９は、変形させた状態の料理用落し蓋を示す平面図である。
【図１０】図１０は、図９のＸ−Ｘ線における断面図である。
【図１１】図１１は、重ね合わせた扇状板の長孔における大径部にピン部材を挿入した状態を示す平面図である。
【図１２】図１２は、図１１におけるピン部材を長孔の中心側端部に摺動させた状態を示す平面図である。
【図１３】図１３は、ピン部材の一例を示す平面図である。
【図１４】図１４は、同上ピン部材の正面図である。
【図１５】図１５は、ピン部材の係止手段にお玉を係止させて料理用落し蓋を持ち上げている状態を示す平面図である。
【図１６】図１６は、４枚の扇状板により平面視略半円形状に形成した料理用落し蓋を料理用容器に被せた状態を示す平面図である。
【図１７】図１７は、６枚の扇状板により形成した料理用落し蓋を示す平面図である。
【図１８】図１８は、ピン部材の別の一例を示す正面図である。
【発明を実施するための形態】
【００２４】
本発明における料理用落し蓋は、複数枚の扇状板１（一例として１ａ〜１ｈ）にはそれぞれ中心側端３近傍から周縁５に向かう半径方向に長孔７を穿設し、当該複数枚の扇状板１の長孔７にピン部材９を取り外し可能に摺嵌し、各扇状板１の周方向の角部１１と該扇状板１に隣接する他の扇状板１の対応角部１３とを連結手段１５により該扇状板１が該連結手段１５を回動中心として相互に回動自在になるように連結してなる点においては、従来の料理用落し蓋と共通する。なお、料理用落し蓋は、一例として、ステンレス鋼により形成する。
【００２５】
しかして、本発明においては、前記連結手段１５は、各扇状板１における周方向の一方の角部１１には突起１７を形成し、他方の角部１３には透孔１９を形成し、各扇状板１における周方向の一方の角部１１に形成された突起１７が該扇状板１に隣接する他の扇状板１の対応角部１３に形成された透孔１９に対し係脱自在としてなるものである。
【００２６】
前記連結手段１５は、より好ましくは、次の如く構成する。
前記一方の角部１１における扇状板１の周縁５近傍に第一切欠部２１を該周縁５と略平行に形成することにより該角部１１に第一舌片２３を突設し、該第一舌片２３に前記突起１７を形成し、前記他方の角部１３における扇状板１の周縁５近傍に第二切欠部２５を該周縁５と略平行に形成することにより該角部１３に第二舌片２７を突設し、該第二舌片２７に前記透孔１９を形成し、該第二舌片２７は該扇状板１に隣接する他の扇状板１の第一舌片２３上に乗り上げるように段差状に立ち上げる。
【００２７】
更に好ましくは、前記第二舌片２７の先端２７ａは、前記第一舌片２３が該第二舌片２７の下側に位置したときに該第一舌片２３の表面から上方に離れる方向に、折曲させる。
【００２８】
各扇状板１に穿設した前記長孔７は、扇状板１の周縁５側端に大径部２９を備え、前記ピン部材９は、該長孔７における該大径部２９に対しては挿脱自在であり、該長孔７における該大径部２９以外の部分７’に対しては挿脱不能かつ該長孔７の長さ方向に摺動自在である。すなわち、ピン部材９は、例えば、図１４、図１８に示すように、主胴部９ａと下端部９ｂとの間にくびれ部９ｃを備えてなり、該主胴部９ａと下端部９ｂとは長孔７における大径部２９に対して挿通自在、かつ、該長孔７における該大径部２９以外の部分７’に対しては挿通不能であり、くびれ部９ｃは該長孔７における該大径部２９以外の部分７’に対しては該長孔７の長さ方向に摺動自在である。
【００２９】
各扇状板１の表面に凸部３１を形成する。図６における符号３３に示すものは、扇状板１を乾燥させる際に、該扇状板１を載置する平板である。
【００３０】
前記ピン部材９の上端に料理用落し蓋を持ち上げるための係止手段３５を備えさせる。掛止手段３５は、料理中にお玉３７、箸等を係止させるに適している限り、いかなる形状を備えたものであってもよいが、一例としてピン部材９に形成した突起とする。図１８に示すピン部材９における係止手段３５は、フック（鉤）状をなしている。
【００３１】
なお、各扇状板１は、従来の料理用落し蓋における扇状板と同様に、多数の貫通孔３９を備えている。図１６における符号４１に示すものは料理用容器である。
【００３２】
因みに、料理用落し蓋を図９に示す状態に変形させたときには、すべての扇状体１における長孔７の大径部２９の位置が上下方向に一致するため（図１０参照）、ピン部材９はこれらの長孔７の大径部２９から一挙に抜き取ることができ、各扇状体１を相互に分離することができる。
【００３３】
扇状板１は、必ずしも全枚数を使用して料理用落し蓋を形成する必要はない。例えば、図１６に示すように、料理用落し蓋を４枚の扇状板により略半円形状に形成してもよく、図１７に示すように、６枚の扇状板により料理用落し蓋を形成しても差し支えない。
【符号の説明】
【００３４】
１  扇状板
２ａ  側部
２ｂ  側部  
３  中心側端
４  中心側端部
５  周縁
７  長孔
７’  長孔における大径部以外の部分
９  ピン部材
９ａ  主胴部
９ｂ  下端部
９ｃ  くびれ部
１１  角部
１３  角部
１５  連結手段
１７  突起
１９  透孔
２１  第一切欠部
２３  第一舌片
２５  第二切欠部
２７  第二舌片
２７ａ  先端
２９  大径部
３１  凸部
３３  平板
３５  係止手段
３７  お玉
３９  貫通孔
４１  料理用容器
【図１】
2016055108.tif 000003
【図２】
2016055108.tif 000004
【図３】
2016055108.tif 000005
【図４】
2016055108.tif 000006
【図５】
2016055108.tif 000007
【図６】
2016055108.tif 000008
【図７】
2016055108.tif 000009
【図８】
2016055108.tif 000010
【図９】
2016055108.tif 000011
【図１０】
2016055108.tif 000012
【図１１】
2016055108.tif 000013
【図１２】
2016055108.tif 000014
【図１３】
2016055108.tif 000015
【図１４】
2016055108.tif 000016
【図１５】
2016055108.tif 000017
【図１６】
2016055108.tif 000018
【図１７】
2016055108.tif 000019
【図１８】
2016055108.tif 000020